(57)【要約】      （修正有）【課題】保護キャップとして、また保護シーリング措置として動作し、外部汚染物がブロックフィッティング組立体を形成するブロックの協力により形成される流れの経路内に進入することを防止するブロックフィッティング組立体用シーリング組立体を提供する。【解決手段】ブロックフィッティング組立体はその平面から延びる突出部分を有する雄ブロック２０と、雄ブロックと噛み合うように構成されるシーリング６０及びキャップ被せ要素８０を含む。シーリング及びキャップ被せ要素は雄ブロックの平面２２と噛み合うための面部分８２と、この面部分から突出するキャップ部分９０を含む。キャップ部分は、水掻き型部分９３とカバー部分９２を有する円周方向延長側壁９１を含む。側壁のカバー部分は、側壁の水掻き型部分でキャップ部分の裂きや前端によりキャップ部分から除去されるように構成される。【選択図】図３
2020026884.tif 000002
【特許請求の範囲】
【請求項１】
ブロックフィッティング組立体の雄（ｍａｌｅ）ブロックと噛み合うために構成されるシーリング及びキャップ被せ要素として、
前記雄ブロックの実質的に平面表面と噛み合うように構成される面部分、及び
前記雄ブロックの突出部分を覆うように構成されるキャップ部分として、前記キャップ部分は前記面部分から突出し、水掻き型（ｗｅｂｂｅｄ）部分とカバー（ｃｏｖｅｒ）部分を有する円周方向延長側壁を含むことを特徴とするシーリング及びキャップ被せ要素。
【請求項２】
前記側壁のカバー部分は、前記側壁の水掻き型部分で前記キャップ部分から分離されるように構成されることを特徴とする請求項１記載のシーリング及びキャップ被せ要素。
【請求項３】
前記面部分の周りの少なくとも一部分を囲むシーリングビードをさらに含むことを特徴とする請求項１記載のシーリング及びキャップ被せ要素。
【請求項４】
前記側壁のカバー部分は円周方向に延びる波状のプロファイルを含むように節型であることを特徴とする請求項１記載のシーリング及びキャップ被せ要素。
【請求項５】
前記側壁のカバー部分は前記キャップ部分の頂上壁から延び、前記水掻き型部分は前記カバー部分と前記面部分の中間に配列されることを特徴とする請求項１記載のシーリング及びキャップ被せ要素。
【請求項６】
前記側壁の水掻き型部分は前記面部分から突出する截頭円錐型セグメントと前記截頭円錐型セグメント近隣の円筒形セグメントを含み、前記水掻き型部分は、前記水掻き型部分が前記カバー部分と前記面部分の間から軸方向に圧縮される時、前記截頭円錐型セグメントと前記円筒形セグメントの交差部から内部に浸るように構成されることを特徴とする請求項１記載のシーリング及びキャップ被せ要素。
【請求項７】
前記側壁の水掻き型部分は穿孔されることを特徴とする請求項１記載のシーリング及びキャップ被せ要素。
【請求項８】
前記シーリング及びキャップ被せ要素の全体は弾性重合体の素材で一体式に形成されることを特徴とする請求項１記載のシーリング及びキャップ被せ要素。
【請求項９】
ブロックフィッティング組立体として、
雄ブロックの平面から延びる突出部分を有する雄ブロック、及び
前記雄ブロックと噛み合うように構成されるシーリング及びキャップ被せ要素として、前記シーリング及びキャップ被せ要素は前記雄ブロックの平面と噛み合うための面部分と、前記面部分から突出するキャップ部分を含み、前記キャップ部分は、水掻き型部分とカバー部分を有する円周方向延長側壁を含むことを特徴とするブロックフィッティング組立体。
【請求項１０】
前記側壁のカバー部分は、前記側壁の水掻き型部分で前記キャップ部分から分離されるように構成されることを特徴とする請求項９記載のブロックフィッティング組立体。
【請求項１１】
前記雄ブロックの突出部分はその外周面に形成されるアンダーカットを含むことを特徴とする請求項９記載の、ブロックフィッティング組立体。
【請求項１２】
前記側壁の水掻き型部分は、前記側壁の水掻き型部分が前記側壁のカバー部分と前記面部分の間で圧縮される時、前記アンダーカット内に内部に浸るように構成されることを特徴とする請求項１１記載の、ブロックフィッティング組立体。
【請求項１３】
Ｏ−リングが前記アンダーカット内部に配列されることを特徴とする請求項１１記載のブロックフィッティング組立体。
【請求項１４】
前記側壁の水掻き型部分の外表面は窪んだ形状であることを特徴とする請求項９記載のブロックフィッティング組立体。
【請求項１５】
前記側壁の水掻き型部分は穿孔されることを特徴とする請求項９記載のブロックフィッティング組立体。
【請求項１６】
前記雄ブロックの突出部分はシール噛み合い表面を含み、前記シーリング及びキャップ被せ要素の前記キャップ部分は前記側壁が延びる頂上壁を含み、シーリング部材が、前記シーリング及びキャップ被せ要素が前記雄ブロックと噛み合っている時、前記シール噛み合い表面と前記頂上壁の間に配列されることを特徴とする請求項９記載のブロックフィッティング組立体。
【請求項１７】
前記シーリング及びキャップ被せ要素の全体は弾性重合体の素材で一体式に形成されることを特徴とする請求項９記載のブロックフィッティング組立体。
【請求項１８】
前記側壁の水掻き型部分は前記雄ブロックの突出部分の最大外径より大きい最小内径を含み、前記側壁のカバー部分は前記雄ブロックの突出部分の最大外径より小さな最小内径を含むことを特徴とする請求項９記載のブロックフィッティング組立体。
【請求項１９】
雌ブロックの平面から入った窪み部分を有する雌ブロックをさらに含み、前記窪み部分は前記雄ブロックの突出部分を収容するように構成されることを特徴とする請求項９記載のブロックフィッティング組立体。
【請求項２０】
前記シーリング及びキャップ被せ要素の面部分は前記雄ブロックの平面と前記雌ブロックの平面の間に形成されるキャップをシーリングすることを特徴とする請求項１９記載のブロックフィッティング組立体。
【発明の詳細な説明】
【技術分野】
【０００１】
本特許出願は２０１８年８月９日に出願された米国仮特許出願一連番号第６２／７１６，４３３号優先権に請求し、この仮特許出願の全体開示は本明細書において参照として引用される。  
本発明は、レバレッジ型冷媒フィッティング用ギャップ充填運送キャップ｛ＧＡＰ  ＦＩＬＬＩＮＧ  ＳＨＩＰＰＩＮＧ  ＣＡＰ  ＦＯＲ  ＬＥＶＥＲＡＧＥＤ  ＲＥＦＲＩＧＥＲＡＮＴ  ＦＩＴＴＩＮＧ｝に係り、より詳しくは、流体ラインを連結するためのシールブロックフィッティング組立体、及びさらに具体的にシールブロックフィッティング組立体の雄（ｍａｌｅ）シールフィッティングブロックと雌（ｆｅｍａｌｅ）シールフィッティングブロックの間に存在するギャップをシーリングするためのレバレッジ型冷媒フィッティング用ギャップ充填運送キャップ（ｓｈｉｐｐｉｎｇ  ｃａｐ）に関する。
【背景技術】
【０００２】
暖房、換気及び空調システムの冷媒回路の構成要素は通常構成要素間で延びる流体ラインにより互いに連結される。そのような流体ラインの連結は、ブロックフィッティング組立体を形成する雄シールフィッティングブロック（以下、「雄ブロック」）と協力する雌シールフィッティングブロック（以下、「雌ブロック」）の間で共通的に形成される。雄ブロックは突出部分を含み、雌ブロックはこの突出部分を収容するように構成される窪み部分を含む。突出部分と窪み部分は、雄ブロックと雌ブロックが互いに結合される時、互いに連通する整列された流体流路（ｆｌｏｗ  ｐａｔｈ）を含む。環形の主要シーリング要素が突出部分と窪み部分の間で通常的に圧縮されて整列された流体流路から流体が漏出されることを防止する。雄ブロックと雌ブロックはまたねじ山ナットと対をなすように構成されるねじ山スタッドやボルトのようなファスナーを貫通して収容するための整列されたファスナー開口を通例的に含み、この整列されたファスナー開口はそれぞれの突出部分または窪み部分近隣のブロックそれぞれの中心領域に形成される。
【０００３】
一部の状況において、ブロック中の１つ又は２つにキャップが被せられるか、その他の方式を被せられて、運送及び取扱の間、ブロックそれぞれに対する損傷を防止できる。例えば、雄ブロックの突出部分が少なくとも部分的に覆われるか、キャップが被せられて、突出部分の表面を保護し、また主要シーリング部材が雄ブロックの突出部分内で位置指定されて運送されて、その後続した組立に対する必要を避けようとする時のように、雄ブロックに対する主要シーリング部材の位置を堅固に固定することは多くないことではない。
協力するブロック中の１つは通常その一端部にヒールまたは上昇部分を含む。ブロックが締め付けられる中心に位置したファスナーにより互いに向かって引っ張られる時、ブロック中の１つのヒールとブロック中の他の１つのの面の噛み合いは突出部分、主要シーリング要素及びブロックそれぞれの反対側端部での窪み部分間の噛み合い時に存在するシーリング力をレバレッジにしようとする。ヒールを含めば、それにより圧縮された主要シーリング要素上に作用する圧縮力を増加させることによって２つのブロック間に存在するシールを有利に改善する。  
【０００４】
しかし、ブロックをレバレッジにするためにヒールを含むことは、また対応するブロックの周り部分からヒール表面の離隔による雄ブロックと雌ブロックの一部分の間のギャップを作ろうとする。そのようなギャップはブロック間の経路を形成し、この経路を通じて、固体破片や汚染物が入り、ブロック間のそのような汚染物の存在はブロックフィッティングの機能に損傷を招く。代案的に、そのようなギャップの存在は汚染物の侵入を招き、協力するブロックの突出部分と窪み部分の間に通常的に圧縮される主要シーリング要素のようなブロック組立体の一部分の腐食を招く。  
【発明の概要】
【発明が解決しようとする課題】
【０００５】
このような点を考えれば、保護キャップとして、また保護シーリング措置として動作し、外部汚染物がブロックフィッティング組立体を形成するブロックの協力により形成される流れの経路内に進入することを防止する、ブロックフィッティング組立体用シーリング組立体を製造することが好ましい。
【課題を解決するための手段】
【０００６】
本開示と一致し一貫して、二重保護運送キャップと周りシーリング部材として動作するシーリング及びキャップ被せ要素が驚くことに発見された。  
本発明の一実施例によって、ブロックフィッティング組立体の雄ブロックと噛み合わせるために構成されるシーリング及びキャップ被せ要素が開示される。シーリング及びキャップ被せ要素は雄ブロックの実質的に平面表面と噛み合うように構成される面部分と雄ブロックの突出部分を覆うように構成されるキャップ部分を含む。キャップ部分は面部分から突出し、水掻き型（ｗｅｂｂｅｄ）部分とカバー（ｃｏｖｅｒ）部分を有する円周方向の延長側壁を含む。側壁のカバー部分は、側壁の水掻き型部分でキャップ部分の裂きによりキャップ部分から除去されるように構成される。
【０００７】
本発明の他の実施例により、ブロックフィッティング組立体が開示される。ブロックフィッティング組立体はその平面から延びる突出部分を有する雄ブロックと、雄ブロックと噛み合うように構成されるシーリング及びキャップ被せ要素を含む。シーリング及びキャップ被せ要素は雄ブロックの平面と噛み合うための面部分と、この面部分から突出するキャップ部分を含む。キャップ部分は、水掻き型部分とカバー部分を有する円周方向の延長側壁を含む。側壁のカバー部分は、側壁の水掻き型部分でキャップ部分の裂きによりキャップ部分から除去されるように構成される。  
【図面の簡単な説明】
【０００８】
本発明の上述した及び他の目的と長所は、添付図面を参照して考慮される時、本発明の好ましい実施例に対する次の詳細な説明を読むことで当業者にとって容易に明白になる。
【図１】本発明の実施例によるブロックフィッティング組立体と使用するためのシーリング及びキャップ被せ要素の平面図である。
【図２】図１の断面線（２−２）を通じて取ったシーリング及びキャップ被せ要素の横断面立面図である。
【図３】シーリング及びキャップ被せ要素が雄ブロックと噛み合う前にこのシーリング及びキャップ被せ要素、雄ブロック及び主要シーリング部材を例示する分解された横断面立面図である。
【図４】シーリング及びキャップ被せ要素のキャップ部分がまず雄ブロックの突出部分の上で収容される間、雄ブロックの平面と噛み合うシーリング及びキャップ被せ要素の面部分を図示する横断面立面図である。
【図５】雄ブロックの突出部分の上で完全に収容される時、シーリング及びキャップ被せ要素のキャップ部分を図示する横断面立面図である。
【図６】シーリング及びキャップ被せ要素のキャップ部分のセグメントを除去して雄ブロックの突出部分の一部分を露出した後の雄ブロックとシーリング及びキャップ被せ要素を図示する横断面立面図である。
【図７】完全に組み立てられる前のブロックフィッティング組立体の分解横断面立面図である。
【図８】完全に組み立てられた構成である時のブロックフィッティング組立体の横断面立面図である。
【図９】本発明の第２実施例によるブロックフィッティング組立体のシーリング及びキャップ被せ要素、雄ブロック及び主要シーリング部材を例示する分解横断面  立面図である。
【図１０】シーリング及びキャップ被せ要素のキャップ部分が先にＯ−リングを有する雄ブロックの突出部分の上に収容される間、雄ブロックの平面と噛み合うシーリング及びキャップ被せ要素の面部分を図示する横断面立面図である。
【図１１】Ｏ−リングを有する雄ブロックの突出部分の上に完全に収容される時、シーリング及びキャップ被せ要素のキャップ部分を図示する横断面立面図である。
【図１２】シーリング及びキャップ被せ要素のキャップ部分のセグメントを除去してＯ−リングを有する雄ブロックの突出部分の一部分を露出した後の雄ブロックとシーリング及びキャップ被せ要素を図示する横断面立面図である。
【図１３】完全に組み立てられた構成である時、本発明の第２実施例によるブロックフィッティング組立体の横断面立面図である。
【図１４】本発明の他の実施例によるシーリング及びキャップ被せ要素の平面図である。
【図１５】シーリング及びキャップ被せ要素と雄ブロックの噛み合いの前に、図１４のシーリング及びキャップ被せ要素、雄ブロック及び主要シーリング部材の分解横断面立面図である。
【発明を実施するための形態】
【０００９】
次の詳細な説明と伴う図面は本発明の多数の実施例を記載し例示する。このような詳細な説明と図面は当業者が本発明を使用できることに寄与するが、本発明の範囲を制限しようとするものではない。開示した方法において、提示された段階は属性上、例示的であり、したがってこれら段階の順序は必要ではあるが、重要なものではない。  
図１乃至図８は本発明の実施例による二重シーリング及びキャップ被せ要素（８０）を活用するブロックフィッティング組立体（１０）を例示し、このような要素は以下簡略化及び明瞭化のために単にキャップ被せ要素（８０）と言う。ブロックフィッティング組立体（１０）は所望によっては冷媒回路の相異なる構成要素の間で冷媒を運搬する２つの流体ライン（図示しない）を連結することに使うこともできる。
【００１０】
しかし、本明細書で開示したブロックフィッティング組立体（１０）とキャップ被せ要素（８０）は本発明の範囲から逸脱しなければ、任意のタイプの流体運搬システムまたは回路で使うこともできる。ブロックフィッティング組立体（１０）は一般的に雄シールフィッティングブロック（２０）（以下、「雄ブロック（２０）」）、雌シールフィッティングブロック（４０）（以下、「雌ブロック（４０）」）、主要シーリング要素（６０）、ファスナー組立体（７０）及びキャップ被せ要素（８０）を含む（これらは図１及び２に隔離されて図示される）。
【００１１】
図３に図示しているように、雄ブロック（２０）は、ブロック（２０、４０）が（図８に図示しているように）組み立てられた構成である時、雌ブロック（４０）に向かって面するように構成される実質的に平面（２２）を有する本体（２１）を含む。円筒形突出部分（２４）が本体（２１）の一端部近隣の平面（２２）から軸方向に延び、外周面（２５）と環状リップ（２６）を含む。突出部分（２４）の外周面（２５）はリップ（２６）近隣で内部にテーパーリングされて雄ブロック（２０）の操縦特性部（ｐｉｌｏｔｉｎｇ  ｆｅａｔｕｒｅ）を形成する。操縦特性部は（図７に図示）雌ブロック（４０）の協力する窪み部分（４４）に対して突出部分（２４）を位置指定することを助ける。  
【００１２】
突出部分（２４）の外周面（２５）はリップ（２６）と平面（２２）の中間で形成されるアンダーカット（ｕｎｄｅｒｃｕｔ）（２３）をさらに含む。アンダーカット（２３）は（図  ５に図示）テーパーリングされた表面（３６）と放射方向延長表面（３５）により形成される三角形横断面形状を有し、これら表面はそれぞれ突出部分（２４）の周囲に環状に延びる。テーパーリングされた表面（３６）は、このテーパーリングされた表面（３６）が放射方向延長表面（３５）と交差する時まで、このテーパーリングされた表面（３６）がリップ（２６）に向かって突出部分（２４）の軸方向に延びることにより、内部にテーパーリングされる。アンダーカット（２３）は、本発明の範囲で必ずしも逸しないものでなければ、実質的に長方形横断面形状のような代案的な横断面形状を有することもある。
【００１３】
リップ（２６）は突出部分（２４）内に形成される円筒開口（２８）を囲む。この開口（２８）は、雄ブロック（２０）と雌ブロック（４０）が組み立てられた位置にある時、主要シーリング部材（６０）と噛み合うために１つ以上のトゥース（ｔｏｏｔｈ）や溝を含む放射方向延長シール噛み合い表面（３１）により部分的に規定される。円筒流れ開口（２９）がシール噛み合い表面（３１）から横方向に延び、ブロックフィッティング組立体（１０）を通じて運搬される流体を収容するように構成される。流体はこの流れ開口（２９）を通じて直接運搬できるが、流体は所望によっては流れ開口（２９）に収容される配管（ｔｕｂｅ）または導管（ｃｏｎｄｕｉｔ）（図示しない）を通じて運搬することもできる。  
雄ブロック（２０）は、突出部分（２４）の反対側本体（２１）の端部で平面（２２）から軸方向に延びるレバレッジヒール（３０）をさらに含む。レバレッジヒール（３０）は平面（２２）に平行するように配列されて、これから離隔される噛み合い表面（３７）を含む。レバレッジヒール（３０）は、主要シーリング部材（６０）に加えられる圧縮力を増加させるために図８の構成に共に組み立てられる時、ブロックフィッティング組立体（１０）に加えられる圧縮力をレバレッジにすることを助ける。
【００１４】
ファスナー収容開口（３２）がレバレッジヒール（３０）と突出部分（２４）の中間に本体（２１）に形成され、本体（２１）を通じて平面（２２）から本体（２１）の反対側に配置された面に延びる。ファスナー収容開口（３２）は平面（２２）と交差する大径部分（３３）とこの大径部分（３３）の近隣に形成されて本体（２１）の反対側面と交差する小径部分（３４）を含む。  
図７に図示したように、雌ブロック（４０）は雄ブロック（２０）の平面（２２）に向かって面するように構成された平面（４２）とこの平面（４２）から軸方向に入った円筒形窪み部分（４４）を含む本体（４１）に形成される。窪み部分（４４）は雄ブロック（２０）の突出部分（２４）の形状及び大きさと実質的に類似の形状と大きさを含み、突出部分（２４）が窪み部分（４４）内に収容されるように  許容する。円筒形突出部（４６）は窪み部分（４４）から延び、流体を貫通して運搬するために本体（４１）を通じて形成される円筒流れ開口（４９）を囲む。流体はこの流れ開口（４９）を通じて直接運搬できるか、この流れ開口（４９）は所望によっては流体を運搬するための配管または導管（図示しない）を収容するように構成できる。雌ブロック（４０）の流れ開口（４９）は、ブロック（２０、４０）が図８の組み立てられた位置にある時、雄ブロック（２０）の流れ開口（２９）と同心整列及び流体連通するように構成される。円筒形突出部（４６）は、雄ブロック（２０）の突出部分（２４）と雌ブロック（４０）の円筒形突出部（４６）の間に配列される主要シーリング部材（６０）と噛み合うのに適切なトゥース、溝または類似の構造を有するシール噛み合い表面（４７）を含む。  
【００１５】
ファスナー収容開口（５２）が平面（４２）から本体（４１）の反対側面に雌ブロック（４０）を通じて形成される。ファスナー収容開口（５２）は、雌ブロック（４０）のファスナー収容開口（５２）と雄ブロック（２０）のファスナー収容開口（５２）それぞれを通じて延びるように構成されるファスナー組立体（７０）のねじ山ファスナー（７２）と協力するようにねじ山が形成できる。ファスナー組立体（７０）のねじ山ナット（７６）がねじ山ファスナー（７２）の一端部上に収容でき、ナット（７６）の回転を通じて雄ブロック（２０）を雌ブロック（４０）に向かって圧縮することに使用できる。ブロック（２０、４０）を互いに向かって引っ張ると、突出部分（２４）と窪み部分（４４）の間で主要シーリング部材（６０）の圧縮を促進し、雄ブロック（２０）の流れ開口（２９）と雌ブロック（４０）の流れ開口（４９）の間の境界をシーリングする。
【００１６】
図１及び図２を再度参照すれば、キャップ被せ要素（８０）は雄ブロック（２０）の突出部分（２４）を覆うためのキャップ部分（８１）と、雄ブロックの平面（２２）と噛み合うための面部分（８２）を含み、キャップ部分（８１）と面部分（８２）は共通素材で一体式でモノリシック（ｍｏｎｏｌｉｔｈｉｃａｌｌｙ）に形成される。共通素材は所望によっては、現在の応用に必要な弾性度、圧縮度、回復度、強度及び耐久性度を有する任意の従来のシーリング素材でもある。キャップ被せ要素（８０）は所望によっては弾性重合体のような重合素材でも形成できる。複合素材は低密度ポリエチレン、高密度ポリエチレン、ポリプロフィレン、ポリカーボネート、アクリロニトリルブタジエンスチレン、ナイロン、多様なプラスチック、高硬度ゴム（ｈｉｇｈ  ｄｕｒｏｍｅｔｅｒ  ｒｕｂｂｅｒ）及びこれらの組合でもある。キャップ被せ要素（８０）は、本発明の範囲から逸しなければ、所望によっては、弾性重合体と少なくとも一つの充填剤素材の任意の組合を含む複合素材で形成できる。一体式で形成されたキャップ被せ要素（８０）は所望によっては適切な射出成形工程でも形成できる。
【００１７】
キャップ被せ要素（８０）の面部分（８２）は、面部分（８２）が平面（２２）と噛み合うように置かれる時、雄ブロック（２０）の平面（２２）の周りまで延びるキャップ被せ要素（８０）の実質的に平面壁により形成される。面部分（８２）の周りの多くは、雄ブロック（２０）の平面（２２）と雌ブロック（４０）の平面（４２）それぞれの周りでシールを形成するために拡大された横断面を有するシーリングビード（８４）を含む。しかし、シーリングビード（８４）は、レバレッジヒール（３０）の動作と干渉しないためにレバレッジヒール（３０）の側表面と交差する平面（２２）の周り部分に沿っては存在しない。周りシールは、ブロック（２０、４０）が組み立てられた位置にある時、平面（２２、４２）の間に形成されたギャップ内に汚染物や周辺空気が進入することを防止し、このような進入は、レバレッジヒール（３０）の存在が軸方向に互いに反対側である面（２２、４２）から離隔されることにより起きる。シーリングビード（８４）は三角形横断面形状として図示されるが、所望によっては円形または楕円形状のような代案的な形状が本発明の範囲から逸しなければ私用できる。図８に最もよく図示されているように、シーリングビード（８４）は位置指定でき、ここでシーリングビード（８４）は所望によっては雄ブロック（２０）の外部エッジと雌ブロック（４０）の外部エッジの間で直接圧縮される。  
【００１８】
面部分（８２）はまた、雄ブロック（２０）のファスナー収容開口（３２）と同心整列され、それに形成される開口（８５）を含む。円筒形ポスト（８６）がキャップ部分（８１）の延長方向の反対方向に面部分（８２）から軸方向に突出し、開口（８５）により規定される内週面を含む。ポスト（８６）はファスナー収容開口（３２）の大径部分（３３）の内径と実質的に同じ外径と、ファスナー収容開口（３２）の小径部分（３４）の内径と実質的に同じ内径を有する。ポスト（８６）はファスナー収容開口（３２）の大経部分（３３）に進入するように構成される一方、ねじ山ファスナー（７２）は実質的な干渉無しでポスト（８６）の開口（８５）を通じて収容されるように構成される。  
キャップ部分（８１）は放射方向延長頂上壁（９０）と、この頂上壁（９０）から下方向に依存する円周方向延長側壁（９１）を含む。この側壁（９１）は頂上壁（９０）近隣のカバー部分（９２）と、キャップ被せ要素（８０）の面部分（８２）とカバー部分（９２）の中間に形成される水掻き型部分（９３）を含む。  
【００１９】
図１に図示したように、カバー部分（９２）は、節型（ｋｎｕｒｌｅｄ）になるか、またはそうでなければ側壁（９１）の周りの周囲から円周方向に延びる交互ピークとバリーを含む波状またはウェーブ型の周り形状を含むように構成できる。カバー部分（９２）は代案的に所望によってはカバー部分（９２）を握ることのできる性能を改善することに適切な任意の円周方向反復表面特性部を含むことができる。提供された実施例において、カバー部分（９２）の波部は頂上壁（９０）から水掻き型部分（９３）の境界にキャップ部分（８１）の軸方向に縦に延びる。カバー部分（９２）は、リップ（２６）とアンダーカット（２３）中間の突出部分（２４）の外周面（２５）を覆うのに適切な所望の軸方向長さを延びる。
【００２０】
水掻き型部分（９３）は、以後にさらに詳細に説明されるが、水掻き型部分（９３）でキャップ被せ要素（８０）の選択的裂きを促進するためにキャップ被せ要素（８０）の残りと比較して相対的に薄い厚さを含む。水掻き型部分（９３）はカバー部分（９２）すぐ近隣に形成される円筒形セグメント（９４）と、円筒形セグメント（９４）と面部分（８２）中間に形成される截頭円錐型セグメント（９５）を含み得る。截頭円錐型セグメント（９５）は、この截頭円錐型セグメント（９５）が面部分（８２）に向かって円筒形セグメント（９４）から軸方向に延びることによって外部にテーパーリングされる。水掻き型部分（９３）の外周面はそれにより軸方向に延長円筒形セグメント（９４）と傾斜した截頭円錐型セグメント（９５）の交差部に形成される内部指向エッジ（９６）を有する窪んだ表面を含む。エッジ（９６）に隣接した表面はそれにより互いに対して鈍角に配置される。  
【００２１】
水掻き型部分（９３）の円筒形セグメント（９４）の内径は、雄ブロック（２０）の突出部分（２４）の最大外径より若干大きく選択でき、キャップ被せ要素（８０）が雄ブロック（２０）上に置かれる時、その間の干渉を防止できる。水掻き型部分（９３）の円筒形部分（９４）の内径は、例えば突出部分（２４）の外径より直径が０．０ｍｍと０．２ｍｍ間でさらに大きいことがある。截頭円錐型セグメント（９５）の外部テーパーリングは、突出部分（２４）がキャップ部分（８１）内に先に収容される時に突出部分（２４）の収容のために水掻き型部分（９３）をさらに広げる。逆に、カバー部分（９２）の内径は雄ブロック（２０）の突出部分（２４）の最大外径より若干小さく選択でき、キャップ被せ要素（８０）が雄ブロック（２０）上に置かれる時、その間に干渉を形成できる。カバー部分（９２）の内径は、例えば突出部分（２４）の外径より直径が０．０５ｍｍと０．６０ｍｍの間でさらに小さいことがある。カバー部分（９２）の内径の減少は、雄ブロック（２０）の突出部分（２４）上に収容される時、カバー部分（９２）が放射方向外部に伸張されるようにし、キャップ被せ要素（８０）のキャップ部分（８１）を雄ブロック（２０）の突出部分（２４）上で堅固に固定することを助ける。
【００２２】
これから図３乃至図６を参照すれば、キャップ被せ要素（８０）を雄ブロック（２０）上に堅固に固定してキャップ部分（８１）からカバー部分（９２）を除去する方法を開示する。主要シーリング部材（６０）は先に突出部分（２４）の開口（２８）内でシール噛み合い表面（３１）上に収容されて、シーリング部材（６０）を取り囲む。開口（２８）内にシーリング部材（６０）を置いた後、キャップ被せ要素（８０）は、キャップ被せ要素（８０）のキャップ部分（８１）とポスト（８６）をそれぞれ雄ブロック（２０）の突出部分（２４）とファスナー収容開口（３２）に先に整列させることにより、雄ブロック（２０）上に収容される。キャップ被せ要素（８０）は雄ブロック（２０）に向かって動き、キャップ部分（８１）の水掻き型部分（９３）内に突出部分（２４）を置く。次に、図４に図示されているように、ポスト（８６）はファスナー収容開口（３２）の大径部分（３３）内に収容されてキャップ被せ要素（８０）の一端部を雄ブロック（２０）に堅固に固定し、面部分（８２）の少なくとも一部分が雄ブロック（２０）の平面（２２）と噛み合う。
【００２３】
図４に図示したうに、キャップ部分（８１）は突出部分（２４）に沿って軸方向にさらに加圧される一方、突出部分（２４）と比較して減少した直径を有するカバー部分（９２）は突出部分（２４）上で部分的に伸張され、頂上壁（９０）近隣のカバー部分（９２）の軸方向部分は依然として突出部分（２４）とまだ噛み合っていない。  
図５に図示したように、面部分（８２）に向かってキャップ部分（８１）を継続して軸方向に加圧すれば、キャップ部分（８１）のカバー部分（９２）はリップ（２６）とアンダーカット（２３）中間の突出部分（２４）の外周面（２５）全体を結局覆うようになる一方、面部分（８２）全体は雄ブロック（２０）の平面（２２）と噛み合う。面部分（８２）に向かってキャップ部分（８１）を軸方向に加圧すれば、水掻き型部分（９３）は面部分（８２）とカバー部分（９２）の間で軸方向に収縮されるようになる。円筒形セグメント（９４）と截頭円錐型セグメント（９５）間の傾斜した配向の存在によって起きる水掻き型部分（９３）の窪みは、側壁（９１）のカバー部分（９２）が面部分（８２）に向かって進行することによって水掻き型部分（９３）がアンダーカット（２３）に向かって内部に浸るようにする。水掻き型部分（９３）の内部への浸かりは水掻き型部分（９３）がアンダーカット（２３）の放射方向延長表面（３５）近隣の少なくとも一つの円周方向延長曲げ部を形成しながらアンダーカット（２３）に少なくとも部分的に形状が対応するようにする。具体的に、水掻き型部分（９３）は外周面（２５）とアンダーカット（２３）の放射方向延長表面（３５）の交差部で形成されるエッジ（３８）上で曲げられる。
【００２４】
キャップ被せ要素（８０）は、カバー部分（９２）が突出部分（２４）の操縦特性部を覆って雄ブロック（２０）の運送及び取り扱いの間、そして雄ブロック（２０）を雌ブロック（４０）に後続して組み立てる前に突出部分（２４）を保護する方式で雄ブロック（２０）上に、それにより完全に収容される。シーリング部材（６０）はまたキャップ部分（８１）の頂上壁（９０）により完全に囲まれて、雄ブロック（２０）の運送及び取り扱いの間、このブロックからシーリング部材（６０）の除去を防止する。  
次に、カバー部分（９２）はキャップ部分（８１）から除去されて突出部分（２４）のリップ（２６）を露出させて、その操縦特性部からキャップを剥がす。具体的に、カバー部分（９２）を握って引っ張るかひねて、キャップ被せ要素（８０）は、水掻き型部分（９３）が前端を通じて切られる（ｆａｉｌ）時まで水掻き型部分（９３）とカバー部分（９２）間の境界近隣に形成された曲げ部で伸張されるようになる。具体的に、水掻き型部分（９３）は、水掻き型部分（９３）に対してカバー部分（９２）をひねるか引っ張る間、エッジ（３８）に引張力が与えられる時、切られ得る。カバー部分（９２）の波状は水掻き型部分（９３）に対するカバー部分（９２）の握り及びひねりを助ける。カバー部分（９２）はそれにより水掻き型部分（９３）から裂かれる一方、アンダーカット（２３）内に維持される水掻き型部分（８３）の端部は放射方向延長表面（３５）近隣で外部に幅が広くなり（ｆｌａｒｅ）、カバー部分（９２）を除去した後、突出部分（２４）上にキャップ被せ要素（８０）の位置を維持する。  
【００２５】
図７及び図８に図示したように、雄ブロック（２０）は、カバー部分（９２）の除去及び突出部分（２４）の操縦特性部の露出の後に雌ブロック（４０）に結合できる。ブロック（２０、４０）は、ねじ山ファスナー（７２）がファスナー収容開口（３２、５２）それぞれを通じて延びるようになる一方、突出部分（２４）は窪み部分（４４）内に収容されるように整列される。ナット（７６）の回転はブロック（２０、４０）を共に引っ張り、それぞれのブロック（２０、４０）の平面（２２、４２）の間でシーリングビード（８４）をまた同時に圧縮しながら突出部分（２４）と窪み部分（４４）の間で主要シーリング部材（６０）を圧縮し、平面（２２、４２）それぞれの周りの周囲でシールを構築する。キャップ被せ要素（８０）の面部分（８２）は平面（２２、４２）の間に存在する任意のギャップをさらに充填し、汚染物や外部空気が流れ開口（２９乃至４９）内に導入されることを防止する。  
【００２６】
図９乃至図１３には本発明の他の実施例によるシーリング組立体を有するブロックフィッティング組立体（１１０）を開示する。シーリング組立体は第１実施例について開示しているようなキャップ被せ要素（８０）と弾性重合体〇−リング（１７５）を含む。雄ブロック（２０）と雌ブロック（４０）は、雄ブロック（２０）の突出部分（２４）の外周面（２５）への変形を除いては、図１乃至図８に開示するブロック（２０、４０）と実質的に同一である。外周面（２５）は、ブロックフィッティング組立体（１０）のアンダーカット（２３）の三角形横断面形状に対照的に三角形横断面部分近隣に形成される正方形横断面部分を含む台形横断面形状を有する、外周面（２５）に形成されるアンダーカット（１２３）を含むことによって相異である。アンダーカット（１２３）の長方形横断面部分はその内部にＯ−リング（１７５）を収容するように構成される。Ｏ−リング（１７５）はアンダーカット（１２３）の端部表面を規定する放射方向延長表面（１３５）と接するように位置指定できる。Ｏ−リング（１７５）とアンダーカット（１２３）はＯ−リング（１７５）の最外面が突出部分（２４）の外周面（２５）越に放射方向外部に延びるように寸法調整できる。Ｏ−リング（１７５）の外径は雌ブロック（４０）の窪み部分（４４）の内径より大きく選択され、Ｏ−リング（１７５）は、ブロック（２０、４０）が組み立てられる時、突出部分（２４）と窪み部分（４４）の間に存在する放射方向延長ギャップにかかるようになる。
【００２７】
図９乃至図１１に図示したように、キャップ被せ要素（８０）は、図３乃至図５に開示のものと同様な方式で、突出部分（２４）上に収容され、雄ブロック（２０）の平面（２２）と接触するように置かれる。図１０に図示したように、突出部分（２４）上のキャップ部分（８１）の初期軸方向加圧は、カバー部分（９２）がＯ−リング（１７５）上から外部に伸張するようにする。図１１に図示したように、キャップ部分（８１）の継続した軸方向加圧は、水掻き型部分（９３）がＯ−リング（１７５）の底面周囲から内部に及びアンダーカット（１２３）内に浸るようにする。図１２に図示したように、カバー部分（９２）は、ブロックフィッティング組立体（１０）を参照して開示されているのと同様な方式でキャップ部分（８１）の残りから除去され、突出部分（２４）の操縦特性部を露出させる。図１３に図示したように、ブロック（２０、４０）の結合は、シーリングビード（８４）がブロック（２０、４０）の平面（２２、４２）の周りをシーリングする一方、水掻き型部分（９３）はＯ−リング（１７５）近隣で外部に広くなる。また、Ｏ−リング（１７５）は雄ブロック（２０）の突出部分（２４）とその窪み部分（４４）を規定する雌ブロック（４０）の内面間のギャップを埋めて、その間にシールを提供する。
【００２８】
Ｏ−リング（１７５）はそれにより、その軸方向の動きを防止することにより、雄ブロック（２０）からのキャップ被せ要素（８０）の残りの潜在的な除去をまた防止しながら汚染物のブロックフィッティング組立体（１１０）内への侵入をさらに防止する。  
キャップ被せ要素（８０）は、除去前の運送キャップと、雄ブロック（２０）の雌ブロック（４０）への結合後のギャップシールを形成する長所を提供する。カバー部分（９２）を含み、キャップ部分（８１）を除去するためにこの部分を容易に握ってひねるようにする。相対的に薄い水掻き型部分（９３）により、カバー部分（９２）は容易に除去されて突出部分（２４）の操縦特性部を露出させる。水掻き型部分（９３）の内部入りにより形成される窪んだ表面は水掻き型部分（９３）が対応するアンダーカット（２３、１２３）の形状に合うように予測可能な方式で内部に浸かるようにした。水掻き型部分（９３）の内部への浸かりにより、水掻き型部分（９３）は突出部分（２４）の外部エッジ上から曲げられて水掻き型部分（９３）の裂きを容易にするための表面を形成する。シーリングビード（８４）は、ブロック（２０、４０）が共に結合される時、ブロック（２０、４０）それぞれの周りををさらにシーリングし、主要シーリング部材（６０）をさらに保護する。  
【００２９】
図１４及び図１５には本発明の実施例によるブロックフィッティング組立体（２１０）と使用するためのキャップ被せ及びシーリング要素（２８０）を開示する。ブロックフィッティング組立体（２１０）は図７に開示したようなブロックフィッティング組立体（１０）の雌ブロック（４０）及び変形された雄ブロック（２２０）を含み得る。雄ブロック（２２０）は、雄ブロック（２２０）が雄ブロック（２０）のアンダーカット（２３）のない変形された突出部分（２２４）を含むことを除いてはブロックフィッティング組立体（１０）の雄ブロック（２０）と実質的に同一である。突出部分（２２４）はその代わりに雄ブロック（２２０）の平面（２２２）から雄ブロック（２２０）のリップ（２２６）まで延びる突出部分（２２４）の軸方向に平行するように配置される円筒形外周面（２２５）を含む。雄ブロック（２２０）は雄ブロック（２２０）を通じてその平面（２２２）から雄ブロック（２２０）のファスナー収容開口（３２）と同一の方式でその反対面まで延びるファスナー収容開口（２３２）をさらに含む。
【００３０】
キャップ被せ要素（２８０）は雄ブロック（２２０）の突出部分（２２４）を覆うためのキャップ部分（２８１）と、雄ブロックの平面（２２２）と噛み合うための面部分（２８２）を含み、キャップ部分（２８１）と面部分（２８２）は共通素材で一体式で及びモノリシックに形成される。共通素材はキャップ被せ要素（８０）を形成することと開示する素材のうちのいずれかの一つである。キャップ被せ要素（８０）の面部分（２８２）は、面部分（２８２）が平面（２２２）と噛み合って置かれる時、雄ブロック（２２０）の平面（２２２）の直径まで延びるキャップ被せ要素（２８０）の実質的に平面壁により形成される。面部分（２８２）の周りの多くは、雄ブロック（２２０）の平面（２２２）と雌ブロック（４０）の平面（４２）それぞれの周りでシールを形成するために拡大された横断面を有するシーリングビード（２８４）を含む。
【００３１】
円筒形ポスト（２８６）がキャップ部分（２８１）の延長方向に反対方向に面部分（２８２）から軸方向に突出し、開口（２８５）を規定する内周表面を含む。円筒形ポスト（２８６）は雄ブロック（２２０）のファスナー収容開口（２３２）内に進入するように構成される。
キャップ部分（２８１）は放射方向延長頂上壁（２９０）と、この頂上壁（２９０）から下方向に依存する円周方向延長側壁（２９１）を含む。この側壁（２９１）は頂上壁（２９０）近隣のカバー部分（２９２）と、キャップ被せ要素（２８０）の面部分（２８２）とカバー部分（２９２）の中間に形成される水掻き型部分（２９３）を含む。カバー部分（２９２）は側壁（２９１）の周りの周囲から円周方向に延びる交互ピークとバリーを含む波状のまたはウェーブ型周り形状を含むように節型にもなり得る。カバー部分（２９２）は代案的に所望によってはカバー部分（２９２）を握ることのできる性能を改善するのに適切な任意の円周方向反復表面特性部またはパターンを含むことができる。
【００３２】
提供された実施例において、カバー部分（２９２）の波部は頂上壁（９０）からカバー部分（２９２）と水掻き型部分（２９３）の境界までキャップ部分（２８１）の軸方向に延びる。カバー部分（２９２）の内径は、キャップ被せ要素（２８０）が雄ブロック（２２０）上に位置する時、キャップ被せ要素と雄ブロックの間に干渉を形成するように雄ブロック（２２０）の突出部分（２２４）の外径より若干小さくなるように選択できる。カバー部分（２９２）の内径は、例えば、突出部分（２２４）の外径より直径が０．０５ｍｍと０．６０ｍｍの間でさらに小さいことがある。カバー部分（２９２）の内径の減少は、雄ブロック（２２０）の突出部分（２２４）上に収容される時、カバー部分（２９２）が放射方向外部に伸張されるようにし、キャップ被せ要素（２８０）のキャップ部分（２８１）を雄ブロック（２２０）の突出部分（２２４）上に堅固に固定することを助ける。
水掻き型部分（２９３）は、水掻き型部分（２９３）がカバー部分（２９２）からキャップか被せ要素（２８０）の面部分（２８２）に向かって延びることにより、外部にテーパーリングされる水掻き型部分（２９３）を有する形状が截頭円錐型でもある。
【００３３】
水掻き型部分（２９３）の外部テーパーリングにより、多くの水掻き型部分（２９３）は、カバー部分（２９２）が突出部分（２２４）上で伸張される間、水掻き型部分（２９３）が突出部分（２２４）上に容易に収容できるように突出部分（２２４）の外径よりさらに大きい内径を含むようになる。水掻き型部分（２９３）には自身を貫通して形成される複数の円周方向に離隔された開口（２９５）または穿孔（ｐｅｒｆｏｒａｔｉｏｎ）（２９５）をさらに含む。穿孔（２９５）は任意の適切な形状を有することができ、所望によっては、任意の適切な長さだけ離隔することもできる。穿孔された水掻き型部分（２９３）はキャップ被せ部分（２８０）の面部分（２８２）に対するカバー部分（２９２）の回転を通じてキャップ被せ要素（２８０）の残りの部分からカバー部分（２９２）の除去を容易にする。水掻き型部分（２９３）は水掻き型部分（２９３）からキャップ被せ要素（２８０）の選択的な裂きをさらに促進するためにキャップ被せ要素（２８０）の残りの部分に比べて比較的小さな厚さをさらに含むこともできる。
【００３４】
キャップ被せ要素（２８０）はキャップ被せ要素（８０）と類似に動作する。キャップ被せ要素（２８０）はキャップ被せ要素（２８０）と雄ブロック（２２０）内に位置するように位置決定されたシーリング部材（６０）を有し、雄ブロック（２２０）の突出部分（２２４）上に収容される。キャップ被せ要素（２８０）は、キャップ被せ要素（２８０）の面部分（２８２）が雄ブロック（２２０）の平面（２２２）を雄ブロック（２２０）の外周表面（２２５）を雄ブロック（２２０）の平面（２２２）に隣接して配置される水掻き型部分（２９３）に接触させるカバー部分（２９２）と付着させる時まで突出部分（２２４）上に収容される。
雄ブロック（２２０）は雄ブロック（２２０）の突出部分（２２４）または関連のシーリング部材（６０）に損傷を与えるリスク無しに運送及び取り扱うために用意される。カバー部分（２９２）は水掻き型部分（２９３）でキャップ被せ要素（２８０）の裂きまたは前端を通じてキャップ被せ要素（２８０）の残りの部分から選択的に除去でき、これは穿孔（２９５）に沿って水掻き型部分（２９３）の裂きを容易にするために水掻き型部分（２９３）に対してカバー部分（２９２）を回転させることにより達成できる。雌ブロック（４０）はキャップ被せ要素（８０）と類似の方式で雄ブロック（２２０）と雌ブロック（４０）の間にシーリングビード（２８４）を圧縮するように雄ブロック（２２０）に結合できる。
【００３５】
上記の説明から、当業者は本発明の中心特徴を容易に確認でき、その思想と範囲から逸脱しなければ、本発明に多様な変化や変形を与えて本発明を多様な利用及び条件に適応させることができる。
【符号の説明】
【００３６】
１０  ブロックフィッティング組立体
２０  雄シールフィッティングブロック、  雄ブロック
２１、４１  本体
２２、４２、２２２  平面
２３  アンダーカット（ｕｎｄｅｒｃｕｔ）
２４  円筒形突出部分
２５  外周面
２６  環状リップ
２９  円筒流れ開口
３０  レバレッジヒール
３１  放射方向延長シール噛み合い表面
３５  放射方向延長表面
３６  テーパーリングされた表面
３２  ファスナー収容開口
３３  大径部分
３４  小径部分
４０  雌シールフィッティングブロック、  雌ブロック
４４  窪み部分
４６  円筒形突出部
４７  シール噛み合い表面
４９  円筒流れ開口
５２  ファスナー収容開口
６０  主要シーリング部材
７０  ファスナー組立体
７２  ねじ山ファスナー
７６  ねじ山ナット
８０  キャップ被せ要素
８１  キャップ部分
８２  面部分
８４  シーリングビード
８５  開口
８６  円筒形ポスト
９０  放射方向延長頂上壁
９１  円周方向延長側壁
９２  カバー部分
９３  水掻き型部分
９４  円筒形セグメント
９５  截頭円錐型セグメント
９６  内部指向エッジ
１１０  ブロックフィッティング組立体
１２３  アンダーカット
１３５  放射方向延長表面
１７５  弾性重合体Ｏ−リング
２１０  ブロックフィッティング組立体
２２０  雄ブロック
２２４  突出部分
２２５  円筒形外周面
２８０  キャップ被せ要素、シーリング要素
２８１  キャップ部分
２８２  面部分
２８４  シーリングビード
２８６  円筒形ポスト
２８５  開口
２９０  放射方向延長頂上壁
２９１  円周方向延長側壁
２９２  カバー部分
２９３  水掻き型部分
２９５  開口、穿孔
【図１】
2020026884.tif 000003
【図２】
2020026884.tif 000004
【図３】
2020026884.tif 000005
【図４】
2020026884.tif 000006
【図５】
2020026884.tif 000007
【図６】
2020026884.tif 000008
【図７】
2020026884.tif 000009
【図８】
2020026884.tif 000010
【図９】
2020026884.tif 000011
【図１０】
2020026884.tif 000012
【図１１】
2020026884.tif 000013
【図１２】
2020026884.tif 000014
【図１３】
2020026884.tif 000015
【図１４】
2020026884.tif 000016
【図１５】
2020026884.tif 000017